(57)【特許請求の範囲】
【請求項１】
別のウェアラブルコンピューティングデバイスに対する深度を決定するウェアラブルコンピューティングデバイス用装置であって、
第１ウェアラブルデバイスに結合され、第１測定量を示す測定値を生成する第１センサと、
前記第１センサから前記第１測定量を示す前記測定値を受信し、第２ウェアラブルデバイスに関連付けられた第２センサから第２測定量を示す測定値を受信するセンサ出力集約部と、
前記第２ウェアラブルデバイスに対する深度を、前記第１測定量と前記第２測定量とに基づいて決定する深度決定部と
を備える装置。
【請求項２】
前記深度決定部は、
前記第１測定量が前記第２測定量より大きいかどうかを決定し、
前記第２ウェアラブルデバイスに対する前記深度を、前記第１測定量が前記第２測定量より大きいかどうかに基づいて決定する
請求項１に記載の装置。
【請求項３】
前記第１測定量および前記第２測定量は、温度、ノイズレベル、光レベル、無線信号強度、静電測定量、または生体測定量を含む
請求項１に記載の装置。
【請求項４】
前記センサ出力集約部は、第３ウェアラブルデバイスに関連付けられた第３センサから第３測定量を示す測定値を受信し、前記深度決定部は、前記第２ウェアラブルデバイスおよび前記第３ウェアラブルデバイスに対する前記深度を、前記第１測定量と、前記第２測定量と、前記第３測定量とに基づいて決定する
請求項１に記載の装置。
【請求項５】
前記深度決定部は、
前記第１測定量が前記第２測定量より大きいかどうかを決定し、
前記第１測定量が前記第３測定量より大きいかどうかを決定し、
前記第２ウェアラブルデバイスおよび前記第３ウェアラブルデバイスに対する前記深度を、前記第１測定量が前記第２測定量より大きいかどうかと、前記第１測定量が前記第３測定量より大きいかどうかとに基づいて決定する
請求項４に記載の装置。
【請求項６】
前記深度決定部は、前記第１ウェアラブルデバイス、前記第２ウェアラブルデバイス、または前記第３ウェアラブルデバイスのうち一つを指定し、ウェアラブルデバイス機能を実行するために用いる
請求項４に記載の装置。
【請求項７】
前記第１ウェアラブルデバイスに結合され、第４測定量を示す測定値を生成する第４センサと、
前記第４センサから前記第４測定量を示す測定値を受信し、前記第２ウェアラブルデバイスに関連付けられた第５センサから第５測定量を示す測定値を受信する前記センサ出力集約部と、
前記深度を、前記第４測定量および前記第５測定量に基づいて認証する前記深度決定部と
を備える、請求項１に記載の装置。
【請求項８】
前記第１ウェアラブルデバイスに結合され、第４測定量を示す測定値を生成する第４センサと、
前記第４センサから前記第４測定量を示す測定値を受信し、前記第２ウェアラブルデバイスに関連付けられた第５センサから第５測定量を示す測定値を受信し、前記第３ウェアラブルデバイスに関連付けられた第６センサから第６測定量を示す測定値を受信する前記センサ出力集約部と、
前記深度を、前記第４測定量と、前記第５測定量と、前記第６測定量と、に基づいて認証する前記深度決定部と
を備える、請求項４に記載の装置。
【請求項９】
前記第４測定量および前記第５測定量は、温度、ノイズレベル、光レベル、無線信号強度、または静電測定量を含む
請求項８に記載の装置。
【請求項１０】
前記第１ウェアラブルデバイス、前記第２ウェアラブルデバイス、および前記第３ウェアラブルデバイスは、取り外し可能で、重ねられる衣服に備えられている
請求項４に記載の装置。
【請求項１１】
前記第１ウェアラブルデバイスは、下着、Ｔシャツ、ボタンアップシャツ、セーター、またはジャケットに備えられている
請求項１０に記載の装置。
【請求項１２】
前記第１ウェアラブルデバイスに結合され、前記ウェアラブルデバイス機能を実行する第７センサを備える
請求項６に記載の装置。
【請求項１３】
前記第１ウェアラブルデバイスに結合され、前記深度をコンピューティングデバイスに伝達するインターフェイスを備える
請求項１から７のいずれか一項に記載の装置。
【請求項１４】
いくつかのウェアラブルコンピューティングデバイスの深度を決定する方法であって、
第１ウェアラブルデバイスに関連付けられた第１センサから第１測定量を示す測定値を受信する工程と、
第２ウェアラブルデバイスに関連付けられた第２センサから第２測定量を示す測定値を受信する工程と、
前記第１ウェアラブルデバイスおよび前記第２ウェアラブルデバイスの深度を、前記第１測定量と前記第２測定量とに基づいて決定する工程と
を備える方法。
【請求項１５】
前記第１測定量が前記第２測定量より大きいかどうかを決定する工程と、
前記深度を、前記第１測定量が前記第２測定量より大きいかどうかに基づいて決定する工程と
を備える、請求項１４に記載の方法。
【請求項１６】
前記第１測定量および前記第２測定量は、温度、ノイズレベル、光レベル、無線信号強度、静電測定量、または生体測定量を含む
請求項１４に記載の方法。
【請求項１７】
第３ウェアラブルデバイスに関連付けられた第３センサから第３測定量を示す測定値を受信する工程と、
前記第１ウェアラブルデバイス、前記第２ウェアラブルデバイス、および前記第３ウェアラブルデバイスの前記深度を、前記第１測定量と、前記第２測定量と、前記第３測定量と、に基づいて決定する工程と
を備える、請求項１４に記載の方法。
【請求項１８】
前記第１測定量が前記第２測定量より大きいかどうかを決定する工程と、
前記第１測定量が前記第３測定量より大きいかどうかを決定する工程と、
前記深度を、前記第１測定量が前記第２測定量より大きいかどうかと、前記第１測定量が前記第３測定量より大きいかどうかとに基づいて決定する工程と
を備える、請求項１７に記載の方法。
【請求項１９】
前記第１ウェアラブルデバイス、前記第２ウェアラブルデバイス、または前記第３ウェアラブルデバイスのうち一つを指定し、ウェアラブルデバイス機能を実行するために用いる工程を備える
請求項１７に記載の方法。
【請求項２０】
前記第１ウェアラブルデバイスに関連付けられた第４センサから第４測定量を示す測定値を受信する工程と、
前記第２ウェアラブルデバイスに関連付けられた第５センサから第５測定量を示す測定値を受信する工程と、
前記深度を、前記第４測定量および前記第５測定量に基づいて認証する工程と
を備える、請求項１４に記載の方法。
【請求項２１】
前記第１ウェアラブルデバイスに関連付けられた第４センサから第４測定量を示す測定値を受信する工程と、
前記第２ウェアラブルデバイスに関連付けられた第５センサから第５測定量を示す測定値を受信する工程と、
前記第３ウェアラブルデバイスに関連付けられた第６センサから第６測定量を示す測定値を受信する工程と、
前記深度を、前記第４測定量と、前記第５測定量と、前記第６測定量と、に基づいて認証する工程と
を備える、請求項１７に記載の方法。
【請求項２２】
コンピューティングデバイス上で実行されると、前記コンピューティングデバイスに、
第１ウェアラブルデバイスに関連付けられた第１センサから第１測定量を示す測定値を受信させ、
第２ウェアラブルデバイスに関連付けられた第２センサから第２測定量を示す測定値を受信させ、
第３ウェアラブルデバイスに関連付けられた第３センサから第３測定量を示す測定値を受信させ、
前記第１ウェアラブルデバイス、前記第２ウェアラブルデバイス、および前記第３ウェアラブルデバイスの深度を、前記第１測定量と、前記第２測定量と、前記第３測定量と、に基づいて決定させる、
コンピュータプログラム。
【請求項２３】
前記コンピューティングデバイス上で実行されると、前記コンピューティングデバイスに、前記第１ウェアラブルデバイス、前記第２ウェアラブルデバイス、または前記第３ウェアラブルデバイスのうち一つを指定させ、ウェアラブルデバイス機能を実行するために使用させる、
請求項２２に記載のコンピュータプログラム。
【請求項２４】
前記第１測定量、前記第２測定量、および前記第３測定量は、温度、ノイズレベル、光レベル、無線信号強度、または静電測定量を含む、
請求項２２に記載のコンピュータプログラム。
【請求項２５】
前記第１ウェアラブルデバイス、前記第２ウェアラブルデバイス、および前記第３ウェアラブルデバイスは、取り外し可能な衣服に備えられている、
請求項２２に記載のコンピュータプログラム。
【請求項２６】
請求項２２から２５のいずれか一項に記載のコンピュータプログラムを格納する、コンピュータ可読記録媒体。
【発明の詳細な説明】
【背景技術】
【０００１】
現代の衣服および他のウェアラブルアクセサリには、コンピューティング技術または他の先進電子技術が組み込まれている場合がある。このようなコンピューティング技術および／または先進電子技術は、様々な機能上の理由により、または純粋に美的な理由により、組み込まれている場合がある。このような衣服および他のウェアラブルアクセサリは、一般に、「ウェアラブル技術」または「ウェアラブルコンピューティングデバイス」と呼ばれる。
【０００２】
ウェアラブルデバイス、特に衣類は、重ねて着用する。例えば、人の胴には、衣類（アンダーシャツ、Ｔシャツ、アウターシャツ、およびジャケット）を重ねる場合がある。別の例として、人の腕には、衣類（腕時計、長袖シャツ、およびジャケット）を重ねる場合がある。それぞれの場合において、これらすべてのウェアラブル製品は、センサ（例えば、温度を測ったり、脈を測ったりするためのもの）また他の同様のウェアラブルコンピューティングデバイスを備えることができる。ただし、当該複数の製品は重ね着されているので、当該センサからの読み取り値が異なる場合がある。従来、ウェアラブルデバイスについての深度を決定すること、および、どのセンサ読み取り値を「正確」である、または特定の計算または計量に用いるべきかを決定することは、可能ではなく、直感的ではなく、および／または困難であった。
【図面の簡単な説明】
【０００３】
【図１】図１は、本開示の少なくとも一実施形態に係るいくつかのウェアラブルデバイスを示すブロック図である。
【図２】図２は、本開示の少なくとも一実施形態に係るウェアラブルデバイス間の深度を決定するためのシステムを示すブロック図である。
【図３】図３は、図１のウェアラブルデバイスの一部分の例を示す。
【図４】図４は、図２のシステムの一部分の例を示す。
【図５】図５は、図１−２のウェアラブルデバイスまたはシステムに実施され得る、重ねて着用されたいくつかのウェアラブルデバイスの説明図である。
【図６】図６は、実施形態に係る論理フローの例を示す。
【図７】図７は、実施形態に係る論理フローの例を示す。
【図８】図８は、一つの実施形態に係る記憶媒体を示す。
【図９】図９は、一つの実施形態に係る処理アーキテクチャを示す。
【発明を実施するための形態】
【０００４】
様々な実施形態は、概ね、重ね着されたウェアラブルデバイスについての深度を決定するためのシステムに関する。言い換えると、本開示は、重ね着される可能性があるいくつかのウェアラブルデバイスについての深度を決定するシステムを提供する。より具体的に、いくつかのセンサ（それぞれは、異なるウェアラブルデバイスと関連付けられている）からの測定量を受信することができる。当該測定量に基づいて、ウェアラブルデバイスの、相互間での、および／または、着用者に対する、深度および順序を決定することができる。本明細書で用いられるように、深度は、ウェアラブルデバイスの、相互間での、または、着用者に対する、順序を表すことができる。いくつかの例において、深度を、ウェアラブルデバイスのうち一つについて特定してもよい。例えば、深度は、着用者に最も近いウェアラブルデバイスや、着用者から最も遠いウェアラブルデバイスや、外部環境に最も近いウェアラブルデバイス等の表示を含み得る。他の例において、深度を、すべてのウェアラブルデバイスについて特定してもよい。例えば、深度は、特定の観点からのウェアラブルデバイスの順序（例えば、着用者からの順序、外部環境からの順序等）の表示を含み得る。
【０００５】
例えば、ウェアラブルデバイスは、重ねて着用することができる取り外し可能な衣服の様々な製品に組み込むことができる。具体的な例として、ウェアラブルデバイスは、Ｔシャツ、ボタンダウンシャツ、およびジャケットに組み込むことができる。これらの製品は、重ねて着用することができる。これらのウェアラブルデバイスはそれぞれ、様々な機能を実行する（例えば、体温を取得したり、周囲の温度を取得したり、脈を取得したり、音声を取得したり、音を発したりするなどの）よう構成されてもよい。ただし、ウェアラブルデバイスは重ねて着用されているので、どのウェアラブルデバイスが特定の機能を実行するかは、ウェアラブルデバイスの深度または相対的な順序に左右される。例えば、Ｔシャツを用いて体温を取得してもよいし、一方、ジャケットを用いて周囲の温度を取得してもよい。ただし、ジャケットを脱いだ際、ボタンダウンシャツを用いて周囲の温度を取得してもよい。
【０００６】
別の例として、ジャケットを着用した際、ジャケットを用いて音声の取得および音の発信の両方を行ってもよい。ただし、ジャケットを脱いだ際、ボタンダウンシャツを用いて音声の取得および音の発信の両方を行ってもよい。
【０００７】
どのウェアラブルデバイスがどの機能を実行すべきかは、人間にとって直感的であってもよいことが理解されるべきである。しかし、ウェアラブルデバイス自体および／またはウェアラブルデバイスに動作可能に結合されたコンピューティングデバイスは、どのデバイスを用いてこれらの（または他の）ウェアラブルデバイス機能を実行してよいかわからない。よって、本開示は、ウェアラブルデバイスの、相互間での、および／または、着用者に対する、深度を決定し、ウェアラブルデバイスがどのデバイスを用いて特定の機能を実行するかを指定可能にするためのウェアラブルデバイス、システム、および、方法を提供する。特に、ウェアラブルデバイスは、どのデバイスが所定の時間または状況において適切かをユーザーが手動で選択することなく、どのデバイスを用いて特定の機能を実行するかを決定することができる。ウェアラブルデバイスが、深度を決定することができ、または、（例えば、ネットワークや物理的接続要素を介して）取り付けられた他のコンピューティングデバイスが、深度を決定することができることに留意することは重要である。例は、この文脈に限定されるものではない。
【０００８】
ここで、図面を参照する。ただし、類似する参照符号は、全体を通じて、類似する要素を参照するために用いられるものとする。以下、説明の目的で、多数の具体的な詳細事項を取り上げ、十分な理解ができるようにしている。ただし、それら具体的な詳細事項がなくても、新規の実施形態が実施可能であることが、明らかな場合もある。他の場合において、周知の構造およびデバイスをブロック図の形態で示し、説明を容易にしている。その目的は、請求項の範囲内におけるすべての修正、同等物および代替物を対象にすることである。
【０００９】
図１は、（例えば、取り外し可能な衣服および／またはアクセサリとして着用されてもよいように）重ね着された状態で示された、いくつかのウェアラブルデバイス１００−ａの一つの実施形態のブロック図である。一般に、ウェアラブルデバイス１００−ａのうち１または複数は、ウェアラブルデバイスの、相互間での、または、ユーザーに対する、深度を決定するよう構成されている。本明細書に記載される様々な例は、限られた数のウェアラブルデバイス（例えば、ウェアラブルデバイス１００−１、１００−２、および１００−３）を示しているが、本開示は、任意の数のウェアラブルデバイスを用いて実施することができることに留意することは重要である。ただし、当該デバイスの数は、説明および例を明確にする目的で、選択されているにすぎない。さらに、ウェアラブルデバイスの数は、使用中（例えば、ウェアラブルデバイスを、ユーザーが装着または取り外したようなとき）に変更してもよいということは、注目に値する。
【００１０】
ウェアラブルデバイスは、ウェアラブルデバイスに組み込まれたセンサからの様々な測定量に基づいて、ウェアラブルデバイスの、相互間での、および／または、ユーザーに対する、深度（例えば、図５を参照）を決定するよう構成されている。例えば、一般的な観点から見ると、第１ウェアラブルデバイス１００−１は、２つの他のウェアラブルデバイス（例えば、ウェアラブルデバイス１００−２およびウェアラブルデバイス１００−３）を同じ方向に見ることができる。第２ウェアラブルデバイス１００−２は、２つの他のウェアラブルデバイス（例えば、ウェアラブルデバイス１００−１およびウェアラブルデバイス１００−２）を見ることができるが、それぞれ互いに反対方向にある。同様に、ウェアラブルデバイス１００−３は、２つの他のウェアラブルデバイス（例えば、ウェアラブルデバイス１００−１およびウェアラブルデバイス１００−２）を同じ方向に見ることができる。これに基づいて、ウェアラブルデバイスは、相互間の相対的深度または順序を決定することができる。さらに、センサから取得した測定量と、決定深度とに基づいて、ウェアラブルデバイスは、どのウェアラブルデバイスを用いて特定の機能を実行するかを決定することができる。
【００１１】
いくつかの実施態様によれば、各ウェアラブルデバイスは、隣接するウェアラブル装デバイスを「見る」だけでもよいことに留意することは重要である。例えば、ウェアラブルデバイス１００−２は、ウェアラブルデバイス１００−１および１００−３の両方を見るのに対して、ウェアラブルデバイス１００−１は、ウェアラブルデバイス１００−２を見るだけでもよい。しかし、本開示によれば、ウェアラブルデバイス上のセンサからの読み取り値を用いて、ウェアラブルの相互間の相対的深度または順序を決定することができる。
【００１２】
一般に、各ウェアラブルデバイスは、プロセッサ構成要素と、コンピュータ実行可能命令を記憶するメモリと、センサと、他のウェアラブルデバイスおよび／または他のコンピューティングデバイスと無線通信するインターフェイスとを組み込んでもよい（図２を参照）。ただし、ウェアラブルデバイス１００−１、１００−２、および１００−３は、全く同じに構成されおよび／または実装される必要はない。さらに、明確にする目的で、ウェアラブルコンピューティングデバイス１００−１のみを参照し、ウェアラブルデバイス１００−ａの例示的構成要素を説明する。ただし、当然のことながら、ウェアラブルデバイス１００−ａのうち任意のものを、本明細書に記載のように構成してもよい。
【００１３】
様々な実施形態において、ウェアラブルコンピューティングデバイス１００−１には、プロセッサ構成要素１１０、記憶装置１２０、１または複数のセンサ１３０、およびインターフェイス１４０のうち１または複数が組み込まれている。記憶装置１２０は、制御ルーチン１２１、測定量１２３、深度１２５、および指定ウェアラブルデバイス１２７のうち１または複数を記憶する。さらに、図示されていないが、ウェアラブルコンピューティングデバイス１００−１は、１または複数の他のコンピューティングデバイスに動作可能に結合されてもよい（図２を参照）。例えば、ウェアラブルデバイス１００−１は、（無線または有線の）ネットワークを介して、他のデバイス（例えば、他のウェアラブルデバイス、他のコンピューティングデバイス等）と通信することができる。特に、ウェアラブルコンピューティングデバイス１００は、情報（例えば、測定量、決定深度、指定デバイス等）を伝達する信号を、ネットワークを通じて他のコンピューティングデバイスとやり取りしてもよい。
【００１４】
ウェアラブルコンピューティングデバイス１００−１において、制御ルーチン１２１は、プロセッサ構成要素１１０上で動作可能な命令のシーケンスを組み込んでおり、プロセッサ構成要素１１０は、主要プロセッサ構成要素として論理を実行し様々な機能を実行する役割を果たすものである。制御ルーチン１２１を実行すると、プロセッサ構成要素１１０は、センサ１３０からの測定量の表示と、ウェアラブルデバイス１００−２および／または１００−３からの測定量の表示とを受信する。特に、プロセッサ構成要素１１０は、第１ウェアラブルデバイス（例えば、ウェアラブルデバイス１００−１）に対応するセンサ１３０からの測定量１２３の一部の表示と、第２ウェアラブルデバイス（例えば、ウェアラブルデバイス１００−２）に対応する第２センサからの測定量１２３の一部の表示と、第３ウェアラブルデバイス（例えば、ウェアラブルデバイス１００−３）に対応する第３センサからの測定量１２３の一部の表示とを受信する。
【００１５】
制御ルーチン１２１を実行すると、プロセッサ構成要素１１０は、測定量に基づいて、第２ウェアラブルデバイスおよび第３ウェアラブルデバイスに対する深度を決定する。例えば、プロセッサ構成要素１１０は、測定量１２３に基づいて、深度１２５を決定することができる。一般に、測定量は、センサ（例えば、センサ１３０）が測定するよう構成される任意の計量に対応することができる。例えば、測定量１２３は、温度、ノイズレベル、光レベル、無線信号強度、または静電測定値の表示を備えることができる。
【００１６】
いくつかの実施態様において、制御ルーチン１２１を実行すると、プロセッサ構成要素１１０は、第１ウェアラブルデバイスに対応する測定量が、第２ウェアラブルデバイスに対応する測定量より大きいかどうか、および、第１ウェアラブルデバイスに対応する測定量が、第３ウェアラブルデバイスに対応する測定量より大きいかどうかを決定する。プロセッサ構成要素１１０は、第１測定量が第２測定量より大きいかどうか、および、第１測定量が第３測定量より大きいかどうかに基づいて、深度１２５を決定することができる。深度の決定のさらなる例を、図６−７を参照して説明する。
【００１７】
制御ルーチン１２１を実行すると、プロセッサ構成要素１１０はまた、第１ウェアラブルデバイス、第２ウェアラブルデバイス、または第３ウェアラブルデバイスのうち一つを指定し、ウェアラブルデバイス機能を実行するために用いてもよい。言い換えると、プロセッサ構成要素１１０は、指定ウェアラブルデバイス１２７を決定してもよく、この指定ウェアラブルデバイス１２７を用いて、ウェアラブルデバイス機能（例えば、温度の測定、音声の発信、音声の取得、脈の測定等）を容易化または実行することができる。当然のことながら、ウェアラブルデバイス１１０−ａは、様々な異なる機能のうち任意のものを実行するよう構成することができる。本明細書における例は、特定の機能に限定されるものではない。さらに、ウェアラブルデバイス機能には、様々なセンサ、デバイス、プラットフォーム構成要素等（これらすべては、明確にする目的で図示されていない）へ制御信号を送信すること、および／または、様々なセンサ、デバイス、プラットフォーム構成要素等（これらすべては、明確にする目的で図示されていない）から出力の表示を受信することが含まれ得る。いくつかの例において、センサ１３０は、温度センサ、マイクロフォン、スピーカー、容量センサ、圧電センサ等を備えてもよい。プロセッサ構成要素１１０は、センサ１３０から出力を受信し、センサ読み取り値の表示を取得し、当該出力を測定量１２３として記憶してもよい。特に、プロセッサ構成要素１１０は、センサ１３０からの出力を、ウェアラブルデバイス１００−１に対応する測定量として記憶してもよい。同様に、プロセッサ構成要素１１０は、ウェアラブルデバイス１００−２に関連付けられたセンサからの出力を、ウェアラブルデバイス１００−２に対応する測定量として記憶してもよい。
【００１８】
センサ１３０は、センサアレイであってもよく、任意の数および種類のセンサを備えることができることに留意することは重要である。さらに、ウェアラブルコンピューティングデバイス１００−１は、他のセンサ（例えば、近接ビーコン、気象観測所、モノのインターネット等）に通信可能に結合され、出力および信号（例えば、センサ読み取り値の表示を含む）をそれらセンサから受信し、深度１２５の決定および／または決定深度１２５の認証の際に用いてもよい。例えば、制御ルーチン１２１を実行すると、プロセッサ構成要素１１０は、第４測定量の表示を第４センサ（第４センサはウェアラブルデバイス１００−１に関連付けられている）から受信し、第５測定量の表示を第５センサ（第５センサはウェアラブルデバイス１００−２に関連付けられている）から受信し、第６測定量の表示を第６センサ（第６センサはウェアラブルデバイス１００−３に関連付けられている）から受信してもよい。プロセッサ構成要素１１０は、第４、第５、および第６測定量を測定量１２３として記憶することができる。
【００１９】
制御ルーチン１２１を実行すると、プロセッサ構成要素１１０は、第４測定量、第５測定量、および第６測定量に基づいて、深度１２５を認証することができる。この説明を、以下でより詳細に図７を参照して行う。ただし、一般に、プロセッサ構成要素１１０は、複数のセンサ様式（例えば、マイクロフォンおよび圧電スピーカーからの出力、等）を用いて、まず深度１２５を決定し、そして決定深度１２５を認証することができる。
【００２０】
より具体的に図２を参照すると、ウェアラブルデバイス間の深度を決定するためのシステムの一つの実施形態のブロック図が示される。示されているように、システム１０００は、図１のウェアラブルデバイス１００−ａを備える。また、システム１０００は、コンピューティングデバイス２００を備える。コンピューティングデバイス２００は、ウェアラブルデバイス１００−ａに通信可能に結合されている。特に、コンピューティングデバイス２００は、ウェアラブルデバイス１００−１、１００−２、および１００−３にネットワーク３００を介して通信可能に結合されている。特に、ウェアラブルコンピューティングデバイス１００−１、１００−２、および１００−３は、情報（例えば、測定量、決定深度、指定デバイス等）を伝達する信号を、ネットワーク３００を通じてコンピューティングデバイス２００とやり取りしてもよい。
【００２１】
一般に、コンピューティングデバイス２００は、ウェアラブルデバイス１００−１、１００−２、および１００−３の深度を決定するよう構成することができる。例えば、いくつかの実施形態によれば、ウェアラブルデバイスのうちいくつかは、処理制約および／またはメモリ制約されてもよい。このように、コンピューティングデバイス２００を用いて、深度を決定してもよい。
【００２２】
いくつかの例において、コンピューティングデバイス２００は、ウェアラブルデバイス１００−１、１００−２、および１００−３が同期するデバイスであってもよい。例えば、コンピューティングデバイス２００として、スマートフォン、タブレットコンピュータ、ラップトップコンピュータ、クラウド型同期システム等を挙げることができる。さらに、いくつかの例において、コンピューティングデバイス２００は、それ自体をウェアラブルデバイスに組み込むことができる。
【００２３】
一般に、コンピューティングデバイス２００は、ウェアラブルデバイス１００−１、１００−２、および１００−３の、相互間での、または、ユーザーに対する、深度を決定するよう構成されている。様々な実施形態において、コンピューティングデバイス２００には、プロセッサ構成要素２１０、記憶装置２２０、およびインターフェイス２４０のうち１または複数が組み込みこまれている。記憶装置２２０は、制御ルーチン２２１、測定量１２３、深度１２５、および指定ウェアラブルデバイス１２７のうち１または複数を記憶する。
【００２４】
コンピューティングデバイス２００において、制御ルーチン２２１は、主要プロセッサ構成要素として論理を実行し様々な機能を実行する役割のプロセッサ構成要素２１０上で動作可能な命令のシーケンスを組み込んでいる。制御ルーチン２２１を実行すると、プロセッサ構成要素２１０は、ウェアラブルコンピューティングデバイス１００−１、１００−２、および１００−３から測定量の表示を受信する。例えば、プロセッサ構成要素２１０は、ウェアラブルデバイス１００−１のセンサ１３０から測定量１２３（例えば、１または複数の測定量、等）の一部の表示を受信する。
【００２５】
制御ルーチン２２１を実行すると、プロセッサ構成要素２１０は、ウェアラブルデバイス１００−１、１００−２、および１００−３の、相互間での、着用者に対する、および／または外部環境に対する深度を決定する。例えば、プロセッサ構成要素２１０は、測定量１２３に基づいて、深度１２５を決定することができる。上述のように、測定量１２３は、センサ（例えば、センサ１３０）が測定するよう構成される任意の計量に対応することができる。例えば、測定量１２３は、温度、ノイズレベル、光レベル、無線信号強度、または静電測定値の表示を備えることができる。
【００２６】
いくつかの実施態様において、制御ルーチン２２１を実行すると、プロセッサ構成要素２１０は、に第１ウェアラブルデバイス（例えば、ウェアラブルデバイス１００−１）に対応する測定量が、第２ウェアラブルデバイス（例えば、ウェアラブルデバイス１００−２）に対応する測定量より大きいかどうか、および、第１ウェアラブルデバイスに対応する測定量が、第３ウェアラブルデバイス（例えば、ウェアラブルデバイス１００−３）に対応する測定量より大きいかどうかを決定する。プロセッサ構成要素２１０は、第１測定量が第２測定量より大きいかどうか、および、第１測定量が第３測定量より大きいかどうかに基づいて、深度１２５を決定することができる。深度の決定のさらなる例を、図６−７を参照して説明する。
【００２７】
制御ルーチン２２１を実行すると、プロセッサ構成要素２１０はまた、第１ウェアラブルデバイス、第２ウェアラブルデバイス、または第３ウェアラブルデバイスのうち一つを指定し、ウェアラブルデバイス機能を実行するために用いてもよい。言い換えると、プロセッサ構成要素２１０は、指定ウェアラブルデバイス１２７を決定してもよく、この指定ウェアラブルデバイス１２７を用いて、ウェアラブルデバイス機能（例えば、温度の測定、音声の発信、音声の取得、脈の測定等）を容易化または実行することができる。当然のことながら、ウェアラブルデバイス１００−１、１００−２、および１００−３は、様々な異なる機能のうち任意のものを実行するよう構成することができる。本明細書における例は、特定の機能に限定されるものではない。さらに、ウェアラブルデバイス機能には、様々なセンサ、デバイス、プラットフォーム構成要素等（これらすべては、明確にする目的で図示されていない）へ制御信号を送信すること、および／または、様々なセンサ、デバイス、プラットフォーム構成要素等（これらすべては、明確にする目的で図示されていない）から出力の表示を受信することが含まれ得る。例えば、センサ１３０は、温度センサ、マイクロフォン、スピーカー、容量センサ、圧電センサ等を備えてもよい。プロセッサ構成要素２１０は、センサ２３０から出力を受信し、センサ読み取り値の表示を取得し、当該出力を測定量１２３として記憶してもよい。特に、プロセッサ構成要素２１０は、センサ１３０からの出力を、ウェアラブルデバイス１００−１に対応する測定量として記憶してもよい。同様に、プロセッサ構成要素２１０は、ウェアラブルデバイス１００−２に関連づけられたセンサからの出力を、ウェアラブルデバイス１００−２に対応する測定量として記憶してもよい。
【００２８】
センサ１３０は、センサアレイであってもよく、任意の数および種類のセンサを備えることができることに留意することは重要である。さらに、ウェアラブルコンピューティングデバイス１００−１は、他のセンサ（例えば、近接ビーコン、気象観測所、モノのインターネット等）に通信可能に結合され、出力および信号（例えば、センサ読み取り値の表示を含む）をそれらセンサから受信し、深度１２５の決定および／または決定深度１２５の認証の際に用いてもよい。例えば、制御ルーチン２２１を実行すると、プロセッサ構成要素２１０は、第４測定量の表示を第４センサ（第４センサはウェアラブルデバイス１００−１に関連付けられている）から受信し、第５測定量の表示を第５センサ（第５センサはウェアラブルデバイス１００−２に関連付けられている）から受信し、第６測定量の表示を第６センサ（第６センサはウェアラブルデバイス１００−３に関連付けられている）から受信してもよい。プロセッサ構成要素１１０は、第４、第５、および第６測定量を測定量１２３として記憶することができる。
【００２９】
制御ルーチン２２１を実行すると、プロセッサ構成要素２１０は、第４測定量、第５測定量、および第６測定量に基づいて、深度１２５を認証することができる。この説明を、以下でより詳細に図７を参照して行う。ただし、一般に、プロセッサ構成要素２１０は、複数のセンサ様式（例えば、マイクロフォンおよび圧電スピーカーからの出力、等）を用いて、まず深度１２５を決定し、そして決定深度１２５を認証することができる。
【００３０】
様々な実施形態において、プロセッサ構成要素１１０および／またはプロセッサ構成要素２１０は、多種多様な市販のプロセッサのうち任意のものを備えてもよい。さらに、これらのプロセッサ構成要素のうち１または複数は、複数のプロセッサ、マルチスレッドプロセッサ、マルチコアプロセッサ（複数のコアが、同一または別個のダイ上で共存する）、および／または、複数の物理的に切り離されたプロセッサを何らかの方法でつなげる他のいくつかの種類のマルチプロセッサアーキテクチャを備えてもよい。
【００３１】
様々な実施形態において、記憶装置１２０および／または２２０は、多種多様な情報記憶技術のうち任意のものに基づいてもよく、当該情報記憶技術には、場合により、電力の絶え間ない供給を必要とする揮発性技術が含まれ、また、場合により、機械読み取り可能記憶媒体（取り外し可能であってもよく、または取り外し可能でなくてもよい）の使用を伴う技術が含まれる。よって、これらの記憶装置にはそれぞれ、多種多様な種類（または、種類の組み合わせ）の記憶デバイスのうち任意のものが含まれてもよく、当該記憶デバイスには、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲ−ＤＲＡＭ）、同期ＤＲＡＭ（ＳＤＲＡＭ）、スタティックＲＡＭ（ＳＲＡＭ）、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、フラッシュメモリ、ポリマーメモリ（例えば、強誘電ポリマーメモリ）、オボニックメモリ、相変化あるいは強誘電メモリ、シリコン−酸化物−窒化物−酸化物−シリコン（ＳＯＮＯＳ）メモリ、磁気あるいは光学カード、１または複数の個別強磁性ディスクドライブ、または、１または複数のアレイに取りまとめられる複数の記憶デバイス（例えば、リダンダント・アレイ・インディペンデント・ディスクアレイ、すなわちＲＡＩＤアレイに取りまとめられる複数の強磁性ディスクドライブ）が含まれるが、これらに限定されるものではない。なお、これらの記憶装置はそれぞれ、単一のブロックとして示されているが、これらのうち１または複数は、複数の記憶デバイス（異なる記憶技術に基づいてもよい）を備えてもよい。よって、例えば、示されているこれらの記憶装置のうち１または複数は、プログラムおよび／またはデータを機械読み取り可能記憶媒体上に記憶および伝達し得る光学ドライブまたはフラッシュメモリカード読み取り機と、比較的長い期間、プログラムおよび／またはデータを局所的に記憶する強磁性ディスクドライブと、プログラムおよび／またはデータへの比較的高速なアクセスを可能にする１または複数の揮発性固体メモリデバイス（例えば、ＳＲＡＭまたはＤＲＡＭ）と、の組み合わせであってもよい。なお、また、これらの記憶装置をそれぞれ、同一の記憶技術に基づいた複数の記憶装置構成要素から構成してもよいが、当該複数の記憶装置構成要素は、分業の結果、別々の状態に維持されてもよい（例えば、主要記憶装置として採用するＤＲＡＭデバイスもあれば、グラフィックスコントローラの別個のフレームバッファとして採用するＤＲＡＭデバイスもある）。
【００３２】
様々な例において、センサ１３０は、１または複数のセンサを備えてもよく、例えば、温度センサ、スピーカー、光センサ、加速度計、マイクロフォン、ジャイロスコープ、ＧＰＳセンサ、磁気センサ、圧電センサ、容量センサ、生物測定センサ等を備えてもよい。ウェアラブルデバイス１００−ａを、センサを用いて様々な計量のうち任意のものを測定するよう構築可能であることに留意することは重要である。このように、例は、ここに示されたものに限定されるものではない。
【００３３】
様々な実施形態において、インターフェイス１４０および／または２４０は、説明してきたように、コンピューティングデバイスを他のデバイスに結合させる多種多様な信号技術のうち任意のものを採用してもよい。これらのインターフェイスはそれぞれ、このような結合を可能にするために必要な機能性の少なくとも一部を提供する回路を備えてもよい。ただし、これらのインターフェイスはそれぞれ、プロセッサ構成要素のうち対応するものにより実行される命令のシーケンスを用いて少なくとも部分的に実現されてもよい（そして、例えば、プロトコルスタックまたは他の機能を実行する）。電気および／または光学伝導ケーブルを採用する場合、これらのインターフェイスは、下記の様々な工業規格のうち任意のものに適合する信号および／またはプロトコルを採用してもよく、当該工業規格には、ＲＳ−２３２Ｃ、ＲＳ−４２２、ＵＳＢ、Ｅｔｈｅｒｎｅｔ（登録商標）（ＩＥＥＥ−８０２．３）またはＩＥＥＥ−１３９４が含まれるが、これらに限定されるものではない。無線信号送信の使用が伴う場合、これらのインターフェイスは、様々な工業規格のうち任意のものに適合する信号および／またはプロトコルを採用してもよく、当該工業規格には、ＩＥＥＥ８０２．１１ａ、８０２．１１ｂ、８０２．１１ｇ、８０２．１１ｎ、８０２．１６、８０２．２０（一般に、「ＭｏｂｉｌｅＢｒｏａｄｂａｎｄＷｉｒｅｌｅｓｓＡｃｃｅｓｓ」と呼ばれる）、Ｂｌｕｅｔｏｏｔｈ（登録商標）、ＺｉｇＢｅｅ（登録商標）、または携帯無線電話サービス（例えば、ＧＳＭ（登録商標））が含まれ、ＧＳＭ（登録商標）には、ＧｅｎｅｒａｌＰａｃｋｅｔＲａｄｉｏＳｅｒｖｉｃｅ（ＧＳＭ（登録商標）／ＧＰＲＳ）、ＣＤＭＡ／ｌｘＲＴＴ、ＥｎｈａｎｃｅｄＤａｔａＲａｔｅｓｆｏｒＧｌｏｂａｌＥｖｏｌｕｔｉｏｎ（ＥＤＧＥ）、ＥｖｏｌｕｔｉｏｎＤａｔａＯｎｌｙ／Ｏｐｔｉｍｉｚｅｄ（ＥＶ−ＤＯ）、ＥｖｏｌｕｔｉｏｎＦｏｒＤａｔａａｎｄＶｏｉｃｅ（ＥＶ−ＤＶ）、ＨｉｇｈＳｐｅｅｄＤｏｗｎｌｉｎｋＰａｃｋｅｔＡｃｃｅｓｓ（ＨＳＤＰＡ）、ＨｉｇｈＳｐｅｅｄＵｐｌｉｎｋＰａｃｋｅｔＡｃｃｅｓｓ（ＨＳＵＰＡ）、４ＧＬＴＥ等が含まれるが、これらに限定されるものではない。
【００３４】
図３−４は、図１−２のシステム１０００のウェアラブルコンピューティングデバイス１００−１およびコンピューティングデバイス２００の一つの実施形態の一部分を示すブロック図である。一般に、図３は、ウェアラブルコンピューティングデバイス１００−１の動作の態様を示し、図４は、システム１０００のコンピューティングデバイス２００の動作の態様を示す。様々な実施形態において、制御ルーチン１２１および／または２２１は、オペレーティングシステム、デバイスドライバーおよび／またはアプリケーションレベルルーチン（例えば、いわゆる、ディスク媒体上に設けられた「ソフトウェアスイート」、遠隔サーバから取得された「アプレット」等）のうち１または複数を備えてもよい。オペレーティングシステムが備えられている場合、当該オペレーティングシステムは、該当するすべてのプロセッサ構成要素１１０および／または２１０に対応する様々な利用可能なオペレーティングシステムのうち任意のものであってよい。１または複数のデバイスドライバーが備えられている場合、これらのデバイスドライバーは、他の様々な構成要素（ウェアラブルデバイス１００−１および／またはコンピューティングデバイス２００のハードウェア構成要素でもソフトウェア構成要素でも）のうち任意のものをサポートしてもよい。
【００３５】
より具体的に図３を参照すると、制御ルーチン１２１は、センサ出力集約部１２１１および深度決定部１２１２を備える。いくつかの例において、深度の決定は、別のコンピューティングデバイス上で実行できることに留意することは重要である（図４を参照）。
【００３６】
一般に、制御ルーチン１２１は、ウェアラブルコンピューティングデバイス１００−１に、センサ（他のウェアラブルコンピューティングデバイスに関連付けられたセンサだけでなくセンサ１３０も含む）からの出力を受信させ、測定量１２３の表示を取得する。制御ルーチンは、また、深度１２５と、任意で、測定量に基づいて、指定ウェアラブルデバイス１２７とを決定する。
【００３７】
特に、センサ出力集約部１２１１は、センサ１３０から出力を受信する。より具体的に、センサ出力集約部１２１１は、第１ウェアラブルデバイス（例えば、ウェアラブルデバイス１００−１）に対応する測定量を受信する。また、センサ出力集約部１２１１は、いくつかの他のウェアラブルデバイス（例えば、ウェアラブルデバイス１００−２、ウェアラブルデバイス１００−３等）に対応する測定量を受信する。センサ出力集約部１２１１は、受信した出力を測定量１２３として記憶することができる。
【００３８】
深度決定部１２１２は、測定量に基づいて深度を決定する。特に、深度決定部１２１２は、測定量１２３に基づいて深度１２５を決定する。例えば、深度決定部１２１２は、ウェアラブルデバイス１００−１、１００−２、および１００−３の階層順序を決定することができる。別の例として、深度決定部１２１２は、ウェアラブルデバイスのうち、着用者に最も近いものや、外部環境に最も近いもの等を決定することができる。
【００３９】
深度決定部１２１２は、別のウェアラブルデバイスに対するウェアラブルデバイス１００−１、１００−２、および１００−３の深度を決定することができることに留意することは重要である。例えば、深度決定部１２１２は、ウェアラブルデバイス１００−１がウェアラブルデバイス１００−２よりもユーザーに近いということを決定することができる。ただし，深度決定部１２１２は、絶対深度（例えば、定点に対する各デバイスの全深度）を必ずしも決定しなくてもよい。
【００４０】
さらに、深度決定部１２１２は、深度に基づいて、ウェアラブルデバイス１００−ａのうち、ウェアラブルデバイス機能を実行するものを決定することができる。例えば、深度決定部１２１２は、深度１２５を決定し、ウェアラブルデバイス１００−１が外部環境に最も近いという表示を取得し、また、指定ウェアラブルデバイス１２７を決定し、ウェアラブルデバイス１００−１が周囲の温度を測定するという表示を取得することができる。
【００４１】
より具体的に図４を参照すると、制御ルーチン２２１は、センサ出力集約部２２１１および深度決定部２２１２を備える。一般に、制御ルーチン２２１は、コンピューティングデバイス２００に、いくつかのウェアラブルコンピューティングデバイスに関連付けられたセンサからの出力を受信させる。特に、センサ出力集約部２２１１は、ウェアラブルコンピューティングデバイス１００−１、１００−２、および１００−３に関連付けられたセンサから出力を受信することができ、当該出力には、測定量１２３の表示が含まれている。制御ルーチン２２１は、また、深度１２５と、任意で、測定量に基づいて、指定ウェアラブルデバイス１２７とを決定する。
【００４２】
特に、センサ出力集約部２２１１は、第１ウェアラブルデバイス（例えば、ウェアラブルデバイス１００−１）に対応する測定量と、第２ウェアラブルデバイス（例えば、ウェアラブルデバイス１００−２）に対応する測定量と、第３ウェアラブルデバイス（例えば、ウェアラブルデバイス１００−３）に対応する測定量とを受信する。センサ出力集約部２２１１は、センサから直接、出力を受信し、受信した出力を測定量１２３として記憶することができる。いくつかの例において、センサ出力集約部２２１１は、直接、測定量１２３を受信することができる。
【００４３】
深度決定部２２１２は、測定量に基づいて深度を決定する。特に、深度決定部２２１２は、測定量１２３に基づいて深度１２５を決定する。例えば、深度決定部２２１２は、ウェアラブルデバイス１００−１、１００−２、および１００−３の階層順序を決定することができる。別の例として、深度決定部２２１２は、ウェアラブルデバイスのうち、着用者に最も近いものや、外部環境に最も近いもの等を決定することができる。
【００４４】
さらに、深度決定部２２１２は、深度に基づいて、ウェアラブルデバイス１００−ａのうち、ウェアラブルデバイス機能を実行するものを決定することができる。例えば、深度決定部２２１２は、深度１２５を決定し、ウェアラブルデバイス１００−１が外部環境に最も近いという表示を取得し、また、指定ウェアラブルデバイス１２７を決定し、ウェアラブルデバイス１００−１が周囲の温度を測定するという表示を取得することができる。
【００４５】
図５は、取り外し可能衣服として実施された図１−４のウェアラブルデバイス１００−１、１００−２、および１００−３を示す。特に、示されているように、ウェアラブルデバイス１００−１はジャケット内に組み込まれ、ウェアラブルデバイス１００−２はセーター内に組み込まれ、ウェアラブルデバイス１００−３はＴシャツ内に組み込まれている。さらに、ウェアラブルデバイス１００−１、１００−２、および１００−３は、重ねて着用しているように示されている。より具体的に、Ｔシャツ（例えば、ウェアラブルデバイス１００−３）は、着用者に最も近い層または外部環境から最も遠い層で着用しているように示されている。セーター（例えば、ウェアラブルデバイス１００−２）は、中間層、すなわち、Ｔシャツとジャケットとの間の層で着用しているように示されている。ジャケット（例えば、ウェアラブルデバイス１００−１）は、外側層、すなわち、外部環境に最も近い層またはユーザーの肌から最も遠い層で着用しているように示されている。当然のことながら、ウェアラブルコンピューティングデバイス１００−１、１００−２、および１００−３は、様々な異なる種類のウェアラブルデバイスのうち任意のものに組み込むことができる。網羅的な一覧を提示することはできない。このように、本明細書における例は、説明を明確にする目的で提供されており、限定するためではない。
【００４６】
図６−７は、ウェアラブルデバイス１００−ａおよび／またはコンピューティングデバイス２００により実行可能な論理フローの例示的実施形態を示す。図示される論理フローは、本明細書に記載する１または複数の実施形態により実行される動作のうちいくつかまたはすべてを表してもよいより具体的に、論理フローは、少なくとも制御ルーチン１２１および／または２２１を実行する際に、プロセッサ構成要素１１０および／または２２０により実行される動作を示してもよい。論理フローは、図１−５を参照して説明されているが、例は、この文脈に限定されるものではない。特に、図５に示されるＴシャツ、セーター、およびジャケットのような例示的実施態様を用いて、深度の決定の様々な例を提供する。ただし、これは限定を意図するものではない。
【００４７】
より具体的に図６を参照すると、論理フロー６００が示されている。論理フロー６００は、ブロック６１０から開始してもよい。ブロック６１０において、プロセッサ構成要素（例えば、ウェアラブルデバイス１００−１のプロセッサ構成要素１１０、コンピューティングデバイス２００のプロセッサ構成要素２１０等）は、第１測定量を、第１ウェアラブルデバイスに関連付けられた第１センサから受信する。例えば、プロセッサ構成要素は、測定量を、ウェアラブルデバイス１００−１のセンサ１３０から受信することができる。
【００４８】
ブロック６２０へ進み、プロセッサ構成要素は、第２測定量を、第２ウェアラブルデバイスに関連付けられた第２センサから受信する。例えば、プロセッサ構成要素は、測定量を、ウェアラブルデバイス１００−２のセンサから受信することができる。
【００４９】
ブロック６３０へ進み、プロセッサ構成要素は、第１ウェアラブルデバイスおよび第２ウェアラブルデバイスの深度を決定する。例えば、プロセッサ構成要素は、ウェアラブルデバイス１００−１がウェアラブルデバイス１００−２よりも着用者に近いということを決定することができる。当然のことながら、論理フロー６００は、いくつかのウェアラブルデバイスに関連付けられた測定量を受信することができる。さらに、論理フロー６００を繰り返し実行し、使用中の異なる時に、ウェアラブルデバイスの深度を決定することができる。特に、論理フロー６００を繰り返し実行し、第１の数のウェアラブルデバイスが重ねて着用された場合（例えば、図５のジャケット、セーター、およびＴシャツ）、および、第２の数のウェアラブルデバイスが重ねて着用された場合（例えば、図５のＴシャツおよびセーター）の深度を決定することができる。
【００５０】
例えば、ブロック６１０および６２０において、プロセッサ構成要素は、ウェアラブルデバイス１００−１、１１０−２、および１００−３上のセンサにより受信された身体を通じて伝送された容量または他の信号の表示を受信することができる。ブロック６３０ブロックにおいて、プロセッサ構成要素は、受信した信号に基づいて、デバイスの深度を決定することができる。例えば、受信した信号が強いほど、対応するウェアラブルデバイスは身体に近くなる。
【００５１】
別の例として、ブロック６１０および６２０において、プロセッサ構成要素は、ウェアラブルデバイス１００−１、１１０−２、および１００−３上のセンサにより測定された温度の表示を受信することができる。ブロック６３０ブロックにおいて、プロセッサ構成要素は、測定した温度に基づいて、デバイスの深度を決定することができる。例えば、測定した温度が９８．６に近いほど、対応するウェアラブルデバイスは身体に近くなる。
【００５２】
別の例として、ブロック６１０および６２０において、プロセッサ構成要素は、ウェアラブルデバイス１００−１、１１０−２、および１００−３上のセンサにより測定された光の表示を受信することができる。ブロック６３０ブロックにおいて、プロセッサ構成要素は、測定した光に基づいて、デバイスの深度を決定することができる。例えば、光の相対的な有無を利用して、ウェアラブルデバイスの深度を決定することができる。
【００５３】
別の例として、ブロック６１０および６２０において、プロセッサ構成要素は、ウェアラブルデバイス１００−１、１１０−２、および１００−３上のセンサにより測定された周囲のノイズの表示を受信することができる。ブロック６３０ブロックにおいて、プロセッサ構成要素は、測定した周囲のノイズレベルに基づいて、デバイスの深度を決定することができる。例えば、周囲のノイズレベルが高いほど、対応するウェアラブルデバイスは外部層に近くなる。
【００５４】
より具体的に図７を参照すると、論理フロー７００が示されている。一般に、論理フロー７００は、追加のセンサ読み取り値（代替センサ様式からのものでもよい）に基づいて、決定深度を認証することができる。論理フロー７００は、ブロック７１０から開始してもよい。ブロック７１０において、プロセッサ構成要素（例えば、ウェアラブルデバイス１００−１のプロセッサ構成要素１１０、コンピューティングデバイス２００のプロセッサ構成要素２１０等）は、測定量を、第１ウェアラブルデバイスに関連付けられたセンサから受信する。例えば、プロセッサ構成要素は、測定量を、ウェアラブルデバイス１００−１のセンサ１３０から受信することができる。
【００５５】
ブロック７２０へ進み、プロセッサ構成要素は、測定量を、第２ウェアラブルデバイスに関連付けられたセンサから受信する。例えば、プロセッサ構成要素は、測定量を、ウェアラブルデバイス１００−２のセンサから受信することができる。
【００５６】
ブロック７３０へ進み、プロセッサ構成要素は、測定量を、第３ウェアラブルデバイスに関連付けられたセンサから受信する。例えば、プロセッサ構成要素は、測定量を、ウェアラブルデバイス１００−３のセンサから受信することができる。
【００５７】
ブロック７４０へ進み、プロセッサ構成要素は、測定量に基づいて、第１、第２、および第３ウェアラブルデバイスについて決定された深度を認証することができる。例えば、ウェアラブルデバイス１００−１、１００−２、および１００−３のそれぞれの上のマイクロフォンにより測定された周囲のノイズレベルに基づいて、深度１２５を決定することができる（例えば、図６を参照）。ブロック７１０、７２０、および７３０において、圧電スピーカー（例えば、ウェアラブルデバイスのうち一つ等の上にあるもの）は、特定の振動数（例えば、２０，０００Ｈｚ）で振動することができ、マイクロフォンは、その音を測定することができる。重ねられたウェアラブルデバイス間の音のわずかな差が明らかな場合があり、（例えば、ブロック７４０において）これを利用して決定深度を認証することができる。
【００５８】
図８は、記憶媒体８００の一つの実施形態を示す。記憶媒体８００は、製品から構成されてもよい。いくつかの例において、記憶媒体８００は、任意の非一過性コンピュータ読み取り可能媒体または機械読み取り可能媒体（例えば、光学、磁気、または半導体記憶装置）を備えもよい。記憶媒体８００は、様々な種類のコンピュータ実行可能命令８０１（例えば、論理フロー６００および／または７００を実行するための命令）を記憶してもよい。コンピュータ読み取り可能または機械読み取り可能記憶媒体の例として、電子データを記憶することができる任意の有形媒体を挙げてもよく、揮発性メモリまたは不揮発性メモリ、取り外し可能または取り外し不可能メモリ、消去可能または消去不可能メモリ、書き込み可能または書き換え可能メモリ等が含まれる。コンピュータ実行可能命令の例として、任意の適切な種類のコードを挙げてもよく、例えば、ソースコード、コンパイル済みコード、解釈済みコード、実行可能コード、静的コード、動的コード、オブジェクト指向コード、ビジュアルコード等がある。例は、この文脈に限定されるものではない。
【００５９】
図９は、上述のような様々な実施形態の実施に適した、例示的処理アーキテクチャ２０００の一つの実施形態を示す。より具体的に、処理アーキテクチャ２０００（または、その変形体）は、ウェアラブルコンピューティングデバイス１００−１、１００−２、１００−３および／またはシステム１０００の一部として実現されてもよい。
【００６０】
処理アーキテクチャ２０００は、デジタル処理において一般に採用される様々な要素を備えてもよく、１または複数のプロセッサ、マルチコアプロセッサ、コプロセッサ、メモリユニット、チップセット、コントローラ、周辺装置、インターフェイス、発振器、タイミングデバイス、ビデオカード、音声カード、マルチメディア入力／出力（Ｉ／Ｏ）構成要素、電源等を備えるが、これらに限定されるものではない。このアプリケーションで使われているように、「システム」および「構成要素」という用語は、デジタル処理が行われるコンピューティングデバイスの実体を指すことを意図しており、当該実体は、ハードウェア、ハードウェアとソフトウェアとの組み合わせ、ソフトウェア、または実行中のソフトウェアであり、これらの例は、示されている例示的処理アーキテクチャにより提供される。例えば、構成要素は、以下のものに限定されるものではないが、プロセッサ構成要素上で実行するプロセス、プロセッサ構成要素自体、記憶デバイス（例えば、ハードディスクドライブ、配列内の複数の記憶ドライブ等）でもよく、これらは、光学および／または磁気記憶媒体、ソフトウェアオブジェクト、実行可能な命令シーケンス、実行スレッド、プログラム、および／またはコンピューティングデバイス全体（例えば、コンピュータ全体）を採用してもよい。実例として、サーバ上で実行するアプリケーションと当該サーバの両方が、構成要素であり得る。１または複数の構成要素は、実行プロセスおよび／または実行スレッド内に常駐することができ、構成要素は、１つのコンピューティングデバイス上で局所化することができ、および／または、２以上のコンピューティングデバイス間で分配することができる。さらに、構成要素同士は、様々な種類の通信媒体により互いに通信可能に結合し、動作を調整させてもよい。この調整には、単方向または双方向の情報のやり取りを伴ってもよい。例えば、構成要素同士は、通信媒体上で通信される信号の形態で情報を伝えてもよい。この情報は、１または複数の信号線に割り当てられた信号として構築することができる。メッセージ（コマンド、ステータス、アドレス、またはデータメッセージを含む）は、このような信号のうち一つであってもよく、または、このような信号のうち複数であってもよく、また、連続的、または実質的に並行のいずれか一方で、様々な接続および／またはインターフェイスのうち任意のものを通じて、伝送してもよい。
【００６１】
示されているように、処理アーキテクチャ２０００を実行するとき、コンピューティングデバイスは、少なくとも、プロセッサ構成要素９５０、記憶装置９６０、他のデバイスへのインターフェイス９９０、および結合要素９５５を備えてもよい。以下で説明するように、処理アーキテクチャ２０００を実行するコンピューティングデバイスの様々な態様（その使用目的および／または使用条件を含む）に応じて、そのようなコンピューティングデバイスは、追加の構成要素をさらに備えてもよく、例えば、ディスプレイインターフェイス９８５があるが、これに限定されるものではない。
【００６２】
結合要素９５５は、１または複数のバス、二点間相互接続要素、トランシーバ、バッファ、交差点スイッチ、および／または、少なくともプロセッサ構成要素９５０を記憶装置９６０に通信可能に結合する他の伝導体および／または論理を備えてもよい。結合要素９５５は、プロセッサ構成要素９５０を、インターフェイス９９０、音声サブシステム９７０、およびディスプレイインターフェイス９８５のうち１または複数に、（これらおよび／または他の構成要素のうちどれがまた存在するかによって、）さらに結合してもよい。このようにプロセッサ構成要素９５０が結合要素９５５により結合されているので、プロセッサ構成要素９５０は、処理アーキテクチャ２０００を構築する上記コンピューティングデバイスのうち１または複数について、詳述してきたタスクのうち様々なものを実行することができる。結合要素９５５は、信号を光学的および／または電気的に伝達する様々な技術または技術の組み合わせのうち任意のものにより実現可能である。さらに、結合要素９５５の少なくとも一部は、多種多様な工業規格のうち任意のものに適合するタイミングおよび／またはプロトコルを採用してもよく、当該工業規格には、ＡｃｃｅｌｅｒａｔｅｄＧｒａｐｈｉｃｓＰｏｒｔ（ＡＧＰ）、ＣａｒｄＢｕｓ、ＥｘｔｅｎｄｅｄＩｎｄｕｓｔｒｙＳｔａｎｄａｒｄＡｒｃｈｉｔｅｃｔｕｒｅ（Ｅ−ＩＳＡ）、ＭｉｃｒｏＣｈａｎｎｅｌＡｒｃｈｉｔｅｃｔｕｒｅ（ＭＣＡ）、ＮｕＢｕｓ，ＰｅｒｉｐｈｅｒａｌＣｏｍｐｏｎｅｎｔＩｎｔｅｒｃｏｎｎｅｃｔ（Ｅｘｔｅｎｄｅｄ）（ＰＣＩ−Ｘ）、ＰＣＩＥｘｐｒｅｓｓ（ＰＣＩ−Ｅ）、ＰｅｒｓｏｎａｌＣｏｍｐｕｔｅｒＭｅｍｏｒｙＣａｒｄＩｎｔｅｒｎａｔｉｏｎａｌＡｓｓｏｃｉａｔｉｏｎ（ＰＣＭＣＩＡ）ｂｕｓ、ＨｙｐｅｒＴｒａｎｓｐｏｒｔ（登録商標）、ＱｕｉｃｋＰａｔｈ等が含まれるが、これらに限定されるものではない。
【００６３】
上述のように、プロセッサ構成要素９５０（プロセッサ構成要素１１０および／または２１０に対応する）は、多種多様な市販のプロセッサのうち任意のものを備えてもよく、当該プロセッサは、多種多様な技術のうち任意のものを採用し、いくつかの方法のうち任意のもので物理的に組み合わせられた１または複数のコアが実装されている。
【００６４】
上述のように、記憶装置９６０（記憶装置１３０および／または２３０に対応する）は、多種多様な技術のうち任意のもの、または技術の組み合わせに基づいた１または複数の別個の記憶デバイスから構成されてもよい。より具体的には、示されているように、記憶装置９６０は、揮発性記憶装置９６１（例えば、ＲＡＭ技術の１または複数の形態に基づいた固体記憶装置）、不揮発性記憶装置９６２（例えば、コンテンツを保存するための電力の安定した供給を必要としない固体記憶装置、強磁性記憶装置、または他の記憶装置）、および、取り外し可能媒体記憶装置９６３（例えば、情報をコンピューティングデバイス間で伝達し得る取り外し可能ディスクまたは固体メモリカード記憶装置）のうち１または複数を備えてもよい。複数の別個の種類の記憶装置を場合により備える記憶装置９６０のこの説明は、コンピューティングデバイスにおいて１を超える種類の記憶デバイスをごく普通に使うことを認めるものであり、記憶デバイスのうち１種類は、比較的速い読取りおよび書込み能力を提供し、この能力により、プロセッサ構成要素９５０によるデータのより高速な操作を可能にし（ただし、場合により、電力を安定的に必要とする「揮発性」技術を用いる）、一方、記憶デバイスのうち別の種類は、比較的高密度の不揮発性記憶装置を提供する（ただし、比較的遅い読取りおよび書込み能力を提供する可能性が高い）。
【００６５】
種々の技術が採用された種々の記憶デバイスはたいてい種々の特性を有するということを考えると、そのような種々の記憶デバイスが、それらとは異なる記憶デバイスが種々のインターフェイスを通じて結合された種々の記憶装置コントローラを通じて１つのコンピューティングデバイスの他の部分に結合されることはまた、ごく普通のことである。一例として、揮発性記憶装置９６１が存在し、ＲＡＭ技術に基づいている場合、揮発性記憶装置９６１は、記憶装置コントローラ９６５ａを通じて結合要素９５５に通信可能に結合されてもよく、記憶装置コントローラ９６５ａは適切なインターフェイスを揮発性記憶装置９６１に提供し、揮発性記憶装置９６１はロウおよびカラムアドレスを採用してもよく、また、記憶装置コントローラ９６５ａは、ロウリフレッシュおよび／または他のメンテナンスタスクを実行し、揮発性記憶装置９６１内に記憶された情報の保存を補助してもよい。別の例として、不揮発性記憶装置９６２が存在し、１または複数の強磁性および／または固体ディスクドライブを備える場合、不揮発性記憶装置９６２は、記憶装置コントローラ９６５ｂを通じて結合要素９５５に通信可能に結合されてもよく、記憶装置コントローラ９６５ｂは適切なインターフェイスを不揮発性記憶装置９６２に提供し、不揮発性記憶装置９６２は情報のブロックのアドレス指定および／またはシリンダおよびセクタのブロックのアドレス指定を採用してもよい。さらに別の例として、取り外し可能媒体記憶装置９６３が存在し、１または複数の機械読み取り可能記憶媒体９６９を採用する１または複数の光学および／または固体ディスクドライブを備える場合、取り外し可能媒体記憶装置９６３は、記憶装置コントローラ９６５ｃを通じて結合要素９５５に通信可能に結合されてもよく、記憶装置コントローラ９６５ｃは適切なインターフェイスを取り外し可能媒体記憶装置９６３に提供し、取り外し可能媒体記憶装置９６３は情報のブロックのアドレス指定を採用してもよく、また、記憶装置コントローラ９６５ｃは、機器読み取り可能記憶媒体９６９の寿命延長に特有の方法で、読み取り、消去、および書き込み動作を調整してもよい。
【００６６】
揮発性記憶装置９６１または不揮発性記憶装置９６２のうち一方または他方は、機械読み取り可能記憶媒体の形態の製品を備えてもよく、当該機械読み取り可能記憶媒体上には、様々な実施形態を実施するプロセッサ構成要素９５０により実行可能な命令のシーケンスを含むルーチンを、それぞれが基づいている技術に応じて、記憶してもよい。一例として、不揮発性記憶装置９６２が強磁性ベースディスクドライブ（例えば、いわゆる「ハードドライブ」）を備える場合、そのような各ディスクドライブは、通常、１または複数の回転プラッタを採用し、当該回転プラッタ上には、磁気反応粒子のコーティングが施され、当該コーティングを様々なパターンで磁気指向にし、情報（例えば、命令シーケンス）を、記憶媒体（例えば、フロッピー（登録商標）ディスケット）と類似の方法で記憶する。別の例として、不揮発性記憶装置９６２は、固体記憶デバイスのバンクから構成し、情報（例えば、命令のシーケンス）を、コンパクトフラッシュ（登録商標）カードと類似の方法で記憶してもよい。また、異なるタイプの記憶デバイスをコンピューティングデバイスにおいて異なる時期に採用し、実行可能ルーチンおよび／またはデータを記憶することは、ごく普通のことである。よって、様々な実施形態を実施するプロセッサ構成要素９５０により実行される命令のシーケンスを備えるルーチンを、初めに機械読み取り可能記憶媒体９６９上に記憶させ、その後、取り外し可能媒体記憶装置９６３を用いて当該ルーチンを不揮発性記憶装置９６２へコピーし、より長期間記憶できるようにしてもよく、この長期間の記憶には、機械読み取り可能記憶媒体９６９および／または揮発性記憶装置９６１が継続的に存在する必要はなく、当該ルーチンを実行する際、プロセッサ構成要素９５０によるさらに高速なアクセスが可能となる。
【００６７】
上述のように、インターフェイス９９０（インターフェイス１６０および／または２６０に対応する）は、コンピューティングデバイスを１または複数の他のデバイスに通信可能に結合するのに用いられ得る様々な通信技術のうち任意のものに対応する様々な信号技術のうち任意のものを採用してもよい。また、様々な形態の有線または無線信号方式のうち一方または両方を用いて、プロセッサ構成要素９５０が、入力／出力デバイス（例えば、示されている例示的キーボード９２０またはプリンタ９２５）および／または他のコンピューティングデバイスと、場合により、ネットワークまたは相互接続されたネットワークの組を通じて、相互作用するようにしてもよい。任意の１つのコンピューティングデバイスによりサポートされなければならないことがよくある複数の種類の信号方式および／またはプロトコルが大きく異なる特徴を持つことがよくあることを考えて、インターフェイス９９０は、複数の異なるインターフェイスコントローラ９９５ａ、９９５ｂ、および９９５ｃを備えるように示されている。インターフェイスコントローラ９９５ａは、様々な種類の有線デジタルシリアルインターフェイスまたは無線周波数ワイヤレスインターフェイスのうち任意のものを採用し、ユーザー入力デバイス（例えば、示されているキーボード９２０）から連続的に伝送されたメッセージを受信してもよい。インターフェイスコントローラ９９５ｂは、様々なケーブルベース信号方式または無線信号方式、タイミングおよび／またはプロトコルのうち任意のものを採用し、示されているネットワーク３００（場合により、１または複数のリンクやより小さなネットワークから構成されるネットワーク、または、場合により、インターネット）を通じて他のコンピューティングデバイスへアクセスしてもよい。インターフェイス９９５ｃは、シリアルまたはパラレル信号伝送のいずれか一方の使用を可能にする様々な導電ケーブルのうち任意のものを採用し、示されているプリンタ９２５へデータを伝送してもよい。インターフェイス９９０の１または複数のインターフェイスコントローラを通じて通信可能に結合され得るデバイスの他の例としては、マイクロフォン、遠隔制御、スタイラスペン、カードリーダ、指紋リーダ、バーチャルリアリティ双方向グローブ、グラフィカル入力タブレット、ジョイスティック、他のキーボード、網膜スキャナ、タッチスクリーンのタッチ入力構成要素、トラックボール、様々なセンサ、人の動作を監視し、これらの人々のジェスチャおよび／または顔の表情により伝えられるコマンドおよび／またはデータを受け入れるカメラまたはカメラアレイ、音、レーザプリンタ、インクジェットプリンタ、機械ロボット、ミリング機械等が含まれるが、これらに限定されるものではない。
【００６８】
コンピューティングデバイスがディスプレイ（例えば、ディスプレイ１５０および／または２５０に対応する、示されている例示的ディスプレイ９８０）に通信可能に結合されている（または、場合により、実際には当該ディスプレイを組み込んでいる）場合、処理アーキテクチャ２０００を実行するこのようなコンピューティングデバイスはまた、ディスプレイインターフェイス９８５を備えてもよい。より汎用型のインターフェイスを、ディスプレイに通信可能に結合する際に採用してもよいが、使用しているケーブルベースインターフェイスが有するある程度専門的な性質だけでなく、様々な形態のコンテンツをディスプレイ上に視覚的に表示するによく必要とされる、ある程度専門的な追加処理により、特異なディスプレイインターフェイスを望まれることがよくある。ディスプレイ９８０に通信可能に結合されるディスプレイインターフェイス９８５により採用され得る有線および／または無線信号技術は、下記の様々な工業規格のうち任意のものに適合する信号方式および／またはプロトコルを用いてもよく、当該工業規格には、様々なアナログビデオインターフェイスのうち任意のもの、ＤｉｇｉｔａｌＶｉｄｅｏＩｎｔｅｒｆａｃｅ（ＤＶＩ）、ＤｉｓｐｌａｙＰｏｒｔ等が含まれるが、これらに限定されるものではない。
【００６９】
より一般に、本明細書において説明および記載されるコンピューティングデバイスの様々な要素には、様々なハードウェア要素、ソフトウェア要素、または、これら両方の組み合わせが挙げられる。ハードウェア要素の例としては、デバイス、論理デバイス、構成要素、プロセッサ、マイクロプロセッサ、回路、プロセッサ構成要素、回路要素（例えば、トランジスタ、抵抗器、コンデンサ、インダクタ等）、集積回路、特定用途向け集積回路（ＡＳＩＣ）、プログラム可能論理素子（ＰＬＤ）、デジタルシグナルプロセッサ（ＤＳＰ）、利用者書き込み可能ゲートアレイ（ＦＰＧＡ）、メモリユニット、論理ゲート、レジスタ、半導体素子、チップ、マイクロチップ、チップセット等が挙げられる。ソフトウェア要素の例としては、ソフトウェア構成要素、プログラム、アプリケーション、コンピュータプログラム、アプリケーションプログラム、システムプログラム、ソフトウェア開発プログラム、機械プログラム、オペレーティングシステムソフトウェア、ミドルウェア、ファームウェア、ソフトウェアモジュール、ルーチン、サブルーチン、機能、方法、プロシージャ、ソフトウェアインターフェイス、アプリケーションプログラムインターフェイス（ＡＰＩ）、命令セット、コンピューティングコード、コンピュータコード、コードセグメント、コンピュータコードセグメント、ワード、値、記号、または、これらの任意の組み合わせが挙げられる。ただし、一つの実施形態をハードウェア要素および／またはソフトウェア要素を用いて実施するかどうかの決定は、所定の実施態様において要求される任意の数の要因、例えば、演算レート、電力レベル、耐熱性、処理サイクルバジェット、入力データレート、出力データレート、メモリリソース、データバス速度、および、他の設計上または性能上の制約に依存してもよい。
【００７０】
実施形態によっては、「一実施形態（ｏｎｅ  ｅｍｂｏｄｉｍｅｎｔ）」または「一つの実施形態（ａｎ  ｅｍｂｏｄｉｍｅｎｔ）」という表現（これらの派生語を含む）を用いて説明している場合もある。これらの用語は、当該実施形態に関して説明される特定の特徴、構造または特性が、少なくとも１つの実施形態に含まれているということを意味している。明細書の様々な箇所に「一実施形態において」という表現があっても、必ずしも同一の実施形態に言及しているわけではない。さらに、実施形態によっては、「結合され（ｃｏｕｐｌｅｄ）」および「接続され（ｃｏｎｎｅｃｔｅｄ）」という表現（これらの派生語を含む）を用いて説明している場合もある。これらの用語は、必ずしも互いの同義語として意図されているわけではない。例えば、いくつかの実施形態では、「接続され」および／または「結合され」という用語を用いて、２つ以上の要素が、物理的または電気的に互いに直接接触していることを示す場合もある。ただし、「結合され」という用語はまた、２つ以上の要素が、互いに直接接触してはいないが、互いに協働または作用しあうことを意味する場合もある。さらに、異なる実施形態の態様や要素を、組み合わせる場合もある。
【００７１】
本開示の要約は、読み手に本開示の技術内容を素早く理解してもらうことを目的に設けられていることを強調しておく。当該要約は、請求項の範囲または意味を解釈または限定するためには用いられないという理解のもと提出されている。また、前述の詳細な説明において、本開示を簡素化する目的で、様々な特徴が単一の実施形態にまとめてグループ化されていることがわかる。この開示方法は、請求された実施形態が各請求項に明示的に記載されたものよりも多くの特徴を必要とするという意図を示すものとして解釈されるものではない。むしろ、以下の請求項が示すように、進歩的な主題は、開示された単一の実施形態のすべての特徴よりも少ない。よって、以下の請求項は、詳細な説明に組み込まれ、各請求項は別個の実施形態として独立する。添付の請求項において、「含む／備える／有する（ｉｎｃｌｕｄｉｎｇ）」および「〜における／を特徴とする（ｉｎ  ｗｈｉｃｈ）」という用語は、それぞれ「含む／備える／有する（ｃｏｍｐｒｉｓｉｎｇ）」および「〜における／を特徴とする（ｗｈｅｒｅｉｎ）」の簡潔な英語での同等用語として用いられる。さらに、「第１」、「第２」、「第３」等の用語は、単に表示として用いられ、それらの対象物に対して数的要件を課すことを意図したものではない。
【００７２】
上述の説明には、開示された構成の例が含まれている。もちろん、構成要素および／または方法論の考えられるあらゆる組み合わせを説明することは不可能だが、当業者は多数のさらなる組み合わせおよび置き換えが可能であると認識できる。よって、新規な構成は、添付の請求項の趣旨および範囲内のすべての変更、修正および変化を包含することを意図したものである。ここで、詳細な開示は、さらなる実施形態に属する例の説明に移る。以下に示す例は、限定を意図するものではない。
【００７３】
例１
別のウェアラブルコンピューティングデバイスに対する深度を決定するよう構成されたウェアラブルコンピューティングデバイス用装置であって、第１ウェアラブルデバイスに結合され、第１測定量の表示を生成する第１センサと、第１センサから第１測定量の表示を受信し、第２ウェアラブルデバイスに関連付けられた第２センサから第２測定量の表示を受信するセンサ出力集約部と、第２ウェアラブルデバイスに対する深度を、第１測定量と第２測定量とに基づいて決定する深度決定部と、を備える装置。
【００７４】
例２
深度決定部は、第１測定量が第２測定量より大きいかどうかを決定し、第２ウェアラブルデバイスに対する深度を、第１測定量が第２測定量より大きいかどうかに基づいて決定する、例１に記載の装置。
【００７５】
例３
第１測定量および第２測定量は、温度、ノイズレベル、光レベル、無線信号強度、静電測定値、または生体測定値を備える、例１に記載の装置。
【００７６】
例４
センサ出力集約部は、第３ウェアラブルデバイスに関連付けられた第３センサから第３測定量の表示を受信し、深度決定部は、第２ウェアラブルデバイスおよび第３ウェアラブルデバイスに対する深度を、第１測定量と、第２測定量と、第３測定量とに基づいて決定する、例１に記載の装置。
【００７７】
例５
深度決定部は、第１測定量が第２測定量より大きいかどうかを決定し、第１測定量が第３測定量より大きいかどうかを決定し、第２ウェアラブルデバイスおよび第３ウェアラブルデバイスに対する深度を、第１測定量が第２測定量より大きいかどうかと、第１測定量が第３測定量より大きいかどうかとに基づいて決定する、例４に記載の装置。
【００７８】
例６
深度決定部は、第１デバイス、第２デバイス、または第３デバイスのうち一つを指定し、ウェアラブルデバイス機能を実行するために用いる、例１に記載の装置。
【００７９】
例７
第１ウェアラブルデバイスに結合され、第４測定量の表示を生成する第４センサと、第４センサから第４測定量の表示を受信し、第２ウェアラブルデバイスに関連付けられた第５センサから第５測定量の表示を受信するセンサ出力集約部と、深度を、第４測定量および第５測定量に基づいて認証する深度決定部と、を備える、例１に記載の装置。
【００８０】
例８
第１ウェアラブルデバイスに結合され、第４測定量の表示を生成する第４センサと、第４センサから第４測定量の表示を受信し、第２ウェアラブルデバイスに関連付けられた第５センサから第５測定量の表示を受信し、第３ウェアラブルデバイスに関連付けられた第６センサから第６測定量の表示を受信するセンサ出力集約部と、深度を、第４測定量と、第５測定量と、第６測定量と、に基づいて認証する深度決定部と、を備える、例４に記載の装置。
【００８１】
例９
第４測定量および第５測定量は、温度、ノイズレベル、光レベル、無線信号強度、または静電測定値を備える、例７に記載の装置。
【００８２】
例１０
第１ウェアラブルコンピューティングデバイス、第２ウェアラブルコンピューティングデバイス、および第３ウェアラブルコンピューティングデバイスは、取り外し可能で、重ねられる衣服を備える、例１−９のいずれか１つに記載の装置。
【００８３】
例１１
第１ウェアラブルコンピューティングデバイスは、下着、Ｔシャツ、ボタンアップシャツ、セーター、またはジャケットを備える、例１０に記載の装置。
【００８４】
例１２
第１ウェアラブルデバイスに結合され、ウェアラブルデバイス機能の表示を生成する第７センサを備える、例６に記載の装置。
【００８５】
例１３
第１ウェアラブルデバイスに結合され、深度をコンピューティングデバイスに伝達するインターフェイスを備える、例１に記載の装置。
【００８６】
例１４
第１ウェアラブルデバイスに結合され、深度をネットワークを介して伝達するネットワークインターフェイスを備える、例１に記載の装置。
【００８７】
例１５
いくつかのウェアラブルコンピューティングデバイスの深度を決定する方法であって、第１ウェアラブルデバイスに関連付けられた第１センサから第１測定量の表示を受信する工程と、第２ウェアラブルデバイスに関連付けられた第２センサから第２測定量の表示を受信する工程と、第１ウェアラブルデバイスおよび第２ウェアラブルデバイスの深度を、第１測定量と第２測定量とに基づいて決定する工程と、を備える方法。
【００８８】
例１６
第１測定量が第２測定量より大きいかどうかを決定する工程と、深度を、第１測定量が第２測定量より大きいかどうかに基づいて決定する工程とを備える、例１５に記載の方法。
【００８９】
例１７
第１測定量および第２測定量は、温度、ノイズレベル、光レベル、無線信号強度、静電測定値、または生体測定値を備える、例１５に記載の方法。
【００９０】
例１８
第３ウェアラブルデバイスに関連付けられた第３センサから第３測定量の表示を受信する工程と、第１ウェアラブルデバイス、第２ウェアラブルデバイス、および第３ウェアラブルデバイスの深度を、第１測定量と、第２測定量と、第３測定量と、に基づいて決定する工程と、を備える、例１５に記載の方法。
【００９１】
例１９
第１測定量が第２測定量より大きいかどうかを決定する工程と、第１測定量が第３測定量より大きいかどうかを決定する工程と、深度を、第１測定量が第２測定量より大きいかどうかと、第１測定量が第３測定量より大きいかどうかとに基づいて、決定する工程とを備える、例１８に記載の方法。
【００９２】
例２０
第１デバイス、第２デバイス、または第３デバイスのうち一つを指定し、ウェアラブルデバイス機能を実行するために用いる工程を備える、例１８に記載の方法。
【００９３】
例２１
第１ウェアラブルデバイスに関連付けられた第４センサから第４測定量の表示を受信する工程と、第２ウェアラブルデバイスに関連付けられた第５センサから第５測定量の表示を受信する工程と、深度を、第４測定量および第５測定量に基づいて認証する工程とを備える、例１５に記載の方法。
【００９４】
例２２
第１ウェアラブルデバイスに関連付けられた第４センサから第４測定量の表示を受信する工程と、第２ウェアラブルデバイスに関連付けられた第５センサから第５測定量の表示を受信する工程と、第３ウェアラブルデバイスに関連付けられた第６センサから第６測定量の表示を受信する工程と、深度を、第４測定量と、第５測定量と、第６測定量と、に基づいて認証する工程とを備える、例１８に記載の方法。
【００９５】
例２３
第４測定量、第５測定量、および第６測定量は、温度、ノイズレベル、光レベル、無線信号強度、または静電測定値を備える、例２２に記載の方法。
【００９６】
例２４
第１ウェアラブルコンピューティングデバイス、第２ウェアラブルコンピューティングデバイス、および第３ウェアラブルコンピューティングデバイスは、取り外し可能で、重ねられる衣服を備える、例１５−２３のいずれか１つに記載の方法。
【００９７】
例２５
第１ウェアラブルコンピューティングデバイスは、下着、Ｔシャツ、ボタンアップシャツ、セーター、ジャケット、またはレインコートを備える、例２４に記載の方法。
【００９８】
例２６
ウェアラブルデバイス上で実行されると、ウェアラブルコンピューティングデバイスに、例１５−２５のうち任意ものの方法を実行させる複数の命令を備える、少なくとも１つの機械読み取り可能媒体。
【００９９】
例２７
重ねられたウェアラブルデバイスの深度を決定するよう構成されたウェアラブルデバイス用装置であって、プロセッサと、プロセッサに動作可能に接続されたセンサと、プロセッサにより実行されると、例１５−２５のいずれか１つに記載の方法に従って、装置に、他のいくつかのウェアラブルデバイスに対する装置の深度を決定させる複数の命令を有するメモリとを備える装置。
【０１００】
例２８
例１５−２５のいずれか１つに記載の方法を実行するための手段を備える、ウェアラブルコンピューティングデバイス用装置。
【図１】
0006721167.tif 000002
【図２】
0006721167.tif 000003
【図３】
0006721167.tif 000004
【図４】
0006721167.tif 000005
【図５】
0006721167.tif 000006
【図６】
0006721167.tif 000007
【図７】
0006721167.tif 000008
【図８】
0006721167.tif 000009
【図９】
0006721167.tif 000010